(57)【特許請求の範囲】
【請求項１】
予め定めた弾性力を有し、軸部挿通孔を備える弾性部材と、
前記軸部挿通孔に摺動自在に配置される軸部、該軸部の一端側に設けられ前記弾性部材の一端が当接して配置される第１当接面を有する第１凸部、該軸部の他端側に設けられ前記第１当接面に対向する第２当接面を有する第２凸部、及び該第２凸部を大径な形状と小径な形状とに弾性変形可能にする予め定めた幅寸法及び深さ寸法のスリットを備える軸体と、
部品の一面側が配置される配置面が設けられる一平面及び前記第２当接面が当接配置される支持面を備える他平面とを有し、前記軸体の第２凸部が小径な形状において通過可能な貫通孔を複数備える部品取付体と、
前記弾性部材の他端が配置される付勢面を備える一平面及び前記部品取付体に配置された部品の他面側に当接する押圧面を備える他平面とを有し、前記軸体の第２凸部が通過可能な貫通孔を複数備える保持板と、
を具備する部品の固定構造において、
前記部品は、光を透過する円形形状の光学部材であって、
前記部品取付体は、前記光学部材の位置決めを行う光学部材位置決め孔を有し、前記光学部材を露出させる予め定めた形状の開口および前記光学部材位置決め孔の内面より予め定めた寸法突出した前記光学部材の一面側が載置される配置面を備える複数の保持部を有し、
前記保持板は、前記光学部材の他面側を露出させる予め定めた形状の開口と、前記開口の内面より予め定めた寸法突出した前記光学部材の他面側を押圧する押圧面を備える複数の押圧部を有することを特徴とする部品の固定構造。
【請求項２】
前記部品が光を反射する光学部材において、
前記保持板は、前記光学部材の反射面を露出させる予め定めた形状の開口および前記反射面を押圧する押圧面を備える押圧部とを有することを特徴とする請求項１に記載の部品の固定構造。
【請求項３】
前記部品取付体は、予め定めた位置に３つの保持部を備え、
前記保持板は、前記部品取付体の３つの保持部にそれぞれ対向する３つの押圧部を備えることを特徴とする請求項１に記載の部品の固定構造。
【請求項４】
前記部品取付体に位置決めピンを突出して設ける一方、前記保持板に前記位置決めピンが挿通する位置決め孔を形成したことを特徴とする請求項３に記載の部品の固定構造。
【請求項５】
前記部品取付体に、前記光学部材を把持する把持部材の先端部が配置される空間部を前記光学部材位置決め孔の中心軸を挟んで対向する位置関係で設けたことを特徴とする請求項２−請求項４の何れか１項に記載の部品の固定構造。
【発明の詳細な説明】
【技術分野】
【０００１】
本発明は、弾性部材の弾性力によって部品を固定保持する部品の固定構造に関する。
【背景技術】
【０００２】
医療分野で使用される内視鏡は、挿入部の先端部に照明光を照射するための照明光学系と、照明光によって照射された観察部位を観察するための観察光学系とを備えている。そして、内視鏡においては、外部装置として、光源装置、ビデオプロセッサー等が備えられている。
【０００３】
光源装置は、筐体内にキセノンランプ或いは複数の光学素子と、電子部品を実装した各種回路基板と、複数のレンズとを備えて構成されている。光源装置で発光させた照明光は、内視鏡挿入部内に挿通されているライトガイドファイバーを介して先端部まで伝送されて、照明窓から観察部位を照明する。
【０００４】
従来、レンズは、鏡筒と呼ばれる筒状のレンズホルダーに保持される。レンズを鏡筒に固定する固定構造の１つとして、鏡筒に収納したレンズを鏡筒とレンズ固定枠とで挟み込む固定構造がある。このレンズ固定構造においては、レンズを高精度に固定できるという利点がある。  
しかし、上記レンズ固定構造で使用される鏡筒には例えば雄ねじが切られ、レンズ固定枠には雌ねじが切られる。そして、レンズを鏡筒とレンズ固定枠とで挟み込む組立においては、カニ目レンチ等の特殊工具が必要になるとともに、トルク管理を行ってレンズを固定する必要があった。このため、組立に時間がかかり、組立コストが高価である。  
また、上述の構成の光源装置を、環境温度が大きく変動する場所で使用する場合、レンズに物理的ストレスがかかることによって、レンズ破損が生じるおそれがある。
【０００５】
特許文献１の図１４には、レンズ保持台のレンズ配設凹部にレンズを配設したうえで該レンズにレンズ抑えを被せ、該レンズ抑えをネジでレンズ保持台に固定する固定構造が示されている。この固定構造においてレンズは、レンズの側面に当接したレンズ抑えによってレンズ保持台に一体に固定される。このレンズ固定構造によれば、レンズの固定を容易に行えるので組立コストが安価になり、物理的ストレスによってレンズが破損することが防止される。  
【先行技術文献】
【特許文献】
【０００６】
【特許文献１】特開２００９−０５０３２０号公報
【発明の概要】
【発明が解決しようとする課題】
【０００７】
しかしながら、特許文献１に示されているようレンズ抑えをレンズの側面に当接させて当該レンズをレンズ保持台に固定する固定構造では、組立時に高精度に、レンズを位置決めすることが難しかった。また、上述した固定構造では、装置運搬中の衝撃或いは振動によってレンズが光軸方向に位置ずれするおそれがある。
【０００８】
本発明は上記事情に鑑みてなされたものであり、簡単かつ安価な構成で、部品の固定を容易かつ短時間で確実に行える部品の固定構造を提供することを目的としている。
【課題を解決するための手段】
【０００９】
本発明の一態様における部品の固定構造は、予め定めた弾性力を有し、軸部挿通孔を備える弾性部材と、前記軸部挿通孔に摺動自在に配置される軸部、該軸部の一端側に設けられ前記弾性部材の一端が当接して配置される第１当接面を有する第１凸部、該軸部の他端側に設けられ前記第１当接面に対向する第２当接面を有する第２凸部、及び該第２凸部を大径な形状と小径な形状とに弾性変形可能にする予め定めた幅寸法及び深さ寸法のスリットを備える軸体と、部品の一面側が配置される配置面が設けられる一平面及び前記第２当接面が当接配置される支持面を備える他平面とを有し、前記軸体の第２凸部が小径な形状において通過可能な貫通孔を複数備える部品取付体と、前記弾性部材の他端が配置される付勢面を備える一平面及び前記部品取付体に配置された部品の他面側に当接する押圧面を備える他平面とを有し、前記軸体の第２凸部が通過可能な貫通孔を複数備える保持板と、
を具備する部品の固定構造において、前記部品は、光を透過する円形形状の光学部材であって、前記部品取付体は、前記光学部材の位置決めを行う光学部材位置決め孔を有し、前記光学部材を露出させる予め定めた形状の開口および前記光学部材位置決め孔の内面より予め定めた寸法突出した前記光学部材の一面側が載置される配置面を備える複数の保持部を有し、前記保持板は、前記光学部材の他面側を露出させる予め定めた形状の開口と、前記開口の内面より予め定めた寸法突出した前記光学部材の他面側を押圧する押圧面を備える複数の押圧部を有している。
【発明の効果】
【００１０】
本発明によれば、簡単かつ安価な構成で、部品の固定を容易かつ短時間で確実に行える部品の固定構造を実現できる。
【図面の簡単な説明】
【００１１】
【図１】内視鏡とカメラコントロールユニットとを備える内視鏡システムを説明する図
【図２】カメラコントロールユニットの正面図
【図３Ａ】図２のＹ３Ａ−Ｙ３Ａ線断面図であって、凹部とＵＳＢメモリーとの関係を説明する図
【図３Ｂ】図２のＹ３Ｂ−Ｙ３Ｂ線断面図であって、凹部とＵＳＢメモリーとの関係を説明する図
【図４】カメラコントロールユニットに設けられた照明部の構成を説明する図であって、通常光による観察状態を示す図
【図５】図４の照明部の構成を説明する斜視図
【図６】特殊光観察状態に切り換えられた照明部を説明する図
【図７】図７−図１１は部品固定部材による光学レンズの固定構造に係り、図７は図６の矢印Ｙ７で示すレンズホルダーに固定された集光レンズの拡大図
【図８】図７の矢印Ｙ８−Ｙ８線断面図
【図９】レンズホルダーのレンズ収容孔、レンズ保持部等を説明する図
【図１０】光学レンズの取付手順等を説明するための分解斜視図
【図１１】逃がし部の作用を説明する図
【図１２】部品固定部材による光学フィルターの固定構造を説明する図
【図１３】部品固定部材による光学ミラーの固定構造を説明する図
【図１４】部品固定部材による光学部材以外の部品を固定する構造を説明する図
【図１５】バランサーを備える照明光切換部の構成及び作用を説明する図
【図１６】フラットケーブルの密着固定を説明する図
【発明を実施するための形態】
【００１２】
以下、図面を参照して本発明の実施の形態を説明する。  
図１−図１１を参照して本発明の一実施形態を説明する。
【００１３】
図１に示すように内視鏡システム１は、内視鏡２０と、外部装置である例えばカメラコントロールユニット（以下、ＣＣＵと記載する）３０と、モニター（不図示）と、を有して構成されている。  
本実施形態のＣＣＵ３０は、内視鏡２０に照明光を供給するための光源装置と、内視鏡２０が備える撮像素子の各種信号処理等を行うビデオプロセッサーとを兼用している。
【００１４】
内視鏡２０は、挿入部２１と、操作部２２と、ユニバーサルケーブル２３とを有している。挿入部２１は、観察対象部位へ挿入される細長な長尺部材である。挿入部２１は、先端部２４と、湾曲部２５と、可撓管部２６とを連設して構成されている。
【００１５】
先端部２４にはライトガイド（不図示）を備える照明光学系及び撮像装置を備える観察光学系が内蔵されている。湾曲部２５は、例えば上下左右の四方向に湾曲自在に構成されている。可撓管部２６は、長尺で可撓性を有する管状部材である。
【００１６】
操作部２２には、湾曲操作部１１、各種スイッチ１２、送気送水ボタン１３、吸引ボタン１４等が設けられている。湾曲操作部１１は、上下用ノブ１５と、左右用ノブ１６等とを有している。スイッチ１２は、例えば、レリーズスイッチ、フリーズスイッチ、及び、通常観察と蛍光観察との切替を行うための観察モード切替スイッチ等である。  
なお、符号１７は処置具挿入口である。
【００１７】
ユニバーサルケーブル２３は、操作部２２の側部より延出している。ユニバーサルケーブル２３の端部には内視鏡コネクタ２７が設けられている。本実施形態において内視鏡コネクタ２７の側部から信号伝達ケーブル２８が延出している。信号伝達ケーブル２８の他端側には電気コネクタ２９が設けられている。  
図１、図２に示すようにカメラコントロールユニット３０のフロントパネル３１には、内視鏡コネクタ接続口３２、電気コネクタ接続口３３、操作パネル３４、ＵＳＢメモリー接続口３５等が設けられている。符号３９は、トップカバーである。
【００１８】
内視鏡コネクタ接続口３２には内視鏡コネクタ２７が着脱自在であり、電気コネクタ接続口３３には電気コネクタ２９が着脱自在であり、ＵＳＢメモリー接続口３５にはＵＳＢメモリーが着脱自在である。操作パネル３４には図示しない各種機能スイッチが設けられている。
【００１９】
本実施形態のＵＳＢメモリー接続口３５は、フロントパネル３１の底面側であって、操作パネル３４の下部に設けられている。そして、操作パネル３４のパネル下面３４ｄ側にはＵＳＢメモリー３８に関わる機能スイッチ（不図示）が設けられている。
【００２０】
図３Ａ、図３Ｂに示すようにＵＳＢメモリー接続口３５は、ＵＳＢメモリーを収容する予め定めた形状及び深さの凹部３６で形成されている。凹部３６は、フロントパネル３１の前面３１ｆから奥方向に延出され、本体配設部３６ａ及び着脱用開口３６ｂを備えている。  
なお、符号３７は端子接続部であり、符号３８はＵＳＢメモリーである。ＵＳＢメモリー３８は、ＵＳＢ本体（以下、本体と略記）３８ａおよびＵＳＢ端子（以下、端子と略記）３８ｂを備え、端子３８ｂが端子接続部３７に接続される。
【００２１】
本実施形態において、凹部３６の前面３１ｆからの深さは、フロントパネル３１の奥方に位置する端子接続部３７に端子３８ｂが接続された状態において、本体３８ａの端面３８ｆがフロントパネル３１の前面３１ｆより突出しないように設定されている。言い換えれば、凹部３６は、本体３８ａの長手軸方向の長さを考慮して設定されている。つまり、着脱用開口３６ｂは、本体配設部３６ａを兼ねている。  
この構成によれば、端子３８ｂを端子接続部３７に接続した状態において、ＵＳＢメモリー３８の本体３８ａが凹部３６内に収容されるので内視鏡コネクタ２７の着脱を容易に行える。また、該接続状態において、ユーザーが操作パネル３４のスイッチ操作を行った際にも、ユーザーの手がＵＳＢメモリー３８に接触する不具合が解消される。
【００２２】
また、着脱用開口３６ｂの幅及び高さは、予め定めた寸法に設定されている。具体的に、該開口３６ｂの幅は、該メモリー３８の本体３８ａの基端側端部を把持したユーザーの手指が開口３６ｂ内に配置可能に設定されている。一方、着脱用開口３６ｂの高さは、ＵＳＢメモリー３８が端子接続部３７に接続された状態において、本体３８ａ上面とパネル下面３４ｄ側の隙間が本体３８ａの下面とフロントパネル３１の底面側の隙間より予め定めた割合、大きく設定されている。  
これらの構成によれば、ＵＳＢメモリー３８のＵＳＢメモリー接続口３５への着脱を容易に行えると共に、本体３８ａの上面に設けられているアクセスランプの視認が可能である。
【００２３】
また、本体配設部３６ａは、第１テーパー面３６ｆ１と第２テーパー面３６ｆ２とを備えて構成されている。第１テーパー面３６ｆ１及び第２テーパー面３６ｆ２は、着脱用開口３６ｂ側から端子接続部３７にいくにしたがってそれぞれの幅寸法が連続的に小さくなる。そして、本体配設部３６ａの端子接続部側開口の寸法は、本体３８ａの寸法を考慮して予め定めたクリアランスを設けて設定されている。具体的に、本実施形態においては、端子接続部側開口のクリアランスを規定して、ＵＳＢメモリー３８の着脱の際に所定の力以上の外力がかかることを防止するようにいる。
【００２４】
この構成によれば、ＵＳＢメモリー３８の端子３８ｂは、端子接続部３７にスムーズに装着可能である。また、ユーザーが端子接続部３７から端子３８ｂを抜去する際、誤って本体３８ａを傾けてしまった場合、本体３８ａが端子接続部側開口に当接して端子接続部３７、及び、ＵＳＢメモリー３８を保護する。
【００２５】
なお、上述した実施形態においては、ＵＳＢメモリー接続口３５をフロントパネル３１の前面３１ｆから奥方向に延出する凹部３６としている。しかし、ＵＳＢメモリー接続口３５は、凹部３６に限定されるものではなく、図示は省略するがパネル下面３４ｄに沿って細長な本体３８ａを収容する凹部であってもよい。この構成において、凹部の幅は、本体３８ａの幅寸法に対応し、凹部の深さは、本体３８ａの厚みに対応する。この構成において、着脱用開口は、フロントパネル右側面に形成される。
【００２６】
図４に示すようにＣＣＵ３０のトップカバー３９を取り外すと照明部４０が露出される。  
照明部４０は、主に、光源部４１と、第１集光部５０と、第２集光部５０Ａと、光源用コネクタ保持部５０Ｂと、反射部６０と、照明光切換部７０と、を備えて構成されている。
【００２７】
図４、図５に示すように光源部４１は、第１発光素子４２と、第２発光素子４３と、光源部本体４４と、放熱部４５とを備えて構成されている。第１発光素子４２と第２発光素子４３とは波長の異なる照明光を出射する例えばＬＥＤである。本実施形態において、第１発光素子４２は、通常観察用の照明光を出射し、第２発光素子４３は、特殊観察用の照明光を出射する。
【００２８】
第１発光素子４２及び第２発光素子４３は、光源部本体４４に固設されている。光源部本体４４には放熱部４５が取り付けられている。放熱部４５は、伝導棒４６及び放熱フィン４７を備えている。  
第１発光素子４２から発生する熱及び第２発光素子４３から発生する熱は、光源部本体４４に伝達された後、伝導棒４６及び放熱フィン４７を介して外部に放熱される。
【００２９】
第１集光部５０は、第１レンズホルダー５１と、部品の１つであって光が透過する円形の光学部材である２種類の第１集光レンズ５２と、レンズ抑え５３と、部品固定部材８０とを備えて構成されている。各第１集光レンズ５２は、それぞれ部品固定部材８０によってレンズホルダー５１の予め定めた位置に固定保持される。一方の第１集光レンズ５２には通常観察用の照明光が入射し、他方の第１集光レンズ５２には特殊観察用の照明光が入射する。
【００３０】
第２集光部５０Ａは、第２レンズホルダー５１Ａと、第１集光レンズ５２と同様な光学部材である第２集光レンズ５２Ａと、レンズ抑え５３と、部品固定部材８０とを備えて構成されている。第２集光レンズ５２Ａは、部品固定部材８０によって第２レンズホルダー５１Ａの予め定めた位置に固定保持される。  
光源用コネクタ保持部５０Ｂは、コネクタ保持部本体５０Ｂａとライトガイドコネクタ５０Ｂｂとを備えて構成されている。ライトガイドコネクタ５０Ｂｂ内には内視鏡コネクタ２７に備えられている光源用コネクタ（不図示）が配置され、第２集光部５０Ａから出射された照明光は、光源用コネクタ（不図示）の端面に集光される。
【００３１】
反射部６０は、ミラーホルダー６１と、部品の１つであって光を反射する光学部材である光学ミラー（図１３の符号６２参照）と、ミラー抑え６３と、部品固定部材８０とを備えて構成されている。
【００３２】
照明光切換部７０は、フィルターホルダー７１と、光学フィルター（図１２の符号７２参照）と、フィルター抑え７３と、バランサー７４と、駆動部であるソレノイドアクチュエータ（以下、アクチュエータと記載）７５と、部品固定部材８０とを備えて構成されている。光学フィルター７２は、部品の１つであって、観察用照明光を透過し且つ特殊光を反射する光学部材であるダイクロイックフィルターである。光学フィルター７２は、後述するフィルターホルダー７１の予め定めた位置に固定保持されている。
【００３３】
フィルターホルダー７１は、腕部（図１５の符号７１ａ参照）を有し、腕部７１ａがアクチュエータ７５が備える回動軸７５ａに一体的に固定される。回動軸７５ａは、アクチュエータ７５への通電方向を切り換えることによって、時計回り、反時計回りに回動する。したがって、本実施形態において、フィルターホルダー７１は、回動軸７５ａの回動によって、図４、図５に示す第１位置と、図６に示す第２位置とに適宜、切替配置されるように構成されている。
【００３４】
図４に示すように光学フィルター７２が固定されているフィルターホルダー７１を第１位置に配置したとき、第１発光素子４２から出射する照明光は、第１集光部５０の第１集光レンズ５２、第２集光部５０Ａの第２集光レンズ５２Ａを通過してライトガイドコネクタ５０Ｂｂに入射して光源用コネクタの端面に集光される。
【００３５】
一方、図６に示すように光学フィルター７２が固定されているフィルターホルダー７１を第２位置に配置したとき、第１発光素子４２から出射する照明光は、第１集光レンズ５２、光学フィルター７２及び第２集光レンズ５２Ａを通過してライトガイドコネクタ５０Ｂｂに入射して光源用コネクタの端面に集光され、第２発光素子４２から出射する照明光は、第１集光部５０の集光レンズ５２を通過し、光学ミラー６２及び光学フィルターで反射され、その後、第２集光レンズ５２Ａを通過してライトガイドコネクタ５０Ｂｂに入射して光源用コネクタの端面に集光される。
【００３６】
ここで、図７−図１１を参照して集光レンズ５２の固定構造およびその組み立て手順を説明する。  
図７、図８に示すように第１集光レンズ５２は、一平面と他平面とを備える部品取付体である第１レンズホルダー５１と、一平面と他平面とを備える保持板であるレンズ抑え５３とに挟持された状態で部品固定部材８０によって固定保持される。部品固定部材８０は、主に軸体であるクリップ部材８１と、弾性部材であるコイルばね８２とを備えて構成されている。
【００３７】
図７、図８、図１０に示すようにクリップ部材８１は、軸部８３と、第１凸部８４と、第２凸部８５と、スリット８６とを備えて構成されている。  
第１凸部８４は、軸部８３の一端側に設けられ、コイルばね８２の一端面側が当接する第１当接面８４ａを有する。第２凸部８５は、軸部８３の他端側に設けられ、前記第１当接面８４ａに対向する第２当接面８５ａを有する。第２凸部８５の端部を先細形状にするテーパー面８５ｆが形成されている。第２凸部８５の先細な先端の径寸法は、後述する小径孔５１ｈｂの径寸法より小さいである。
【００３８】
スリット８６は、予め定めた幅寸法で、かつ第２凸部８５の端面から予め定めた深さ寸法に設定されている。クリップ部材８１にスリット８６を設けたことにより、第２凸部８５は、弾性変形可能に構成される。  
具体的に、第２凸部８５は、スリット８６の開口端が設定された幅寸法である大径形状と、スリット８６の開口端が互いに当接するように弾性変形された小径形状とに変化する。
【００３９】
コイルばね８２は、ばね材質、ばね材の線経、ばね高さ、ピッチ等を適宜設定して予め定めた弾性力を有している。コイルばね８２の内径は、軸部８３の外径より大きく設定されている。本実施形態において、コイルばね８２の内径部は、軸部８３が摺動自在な軸部挿通孔である。そして、コイルばね８２の内径は、少なくとも第２凸部８５が小径形状に変形した状態において通過可能に設定される。
【００４０】
図８−図１０に示すように第１レンズホルダー５１は、開口である貫通孔５４と、３つのレンズ保持部５５と、一対の逃がし部５６Ａ、５６Ｂと、一対のホルダー側クリップ挿通孔５１ｈとを備えて構成されている。
【００４１】
貫通孔５４は、第１集光レンズ５２が配置される光学部材位置決め孔であるレンズ収容孔５４ａを有して構成されている。第１集光レンズ５２をレンズ収容孔５４ａに収容配置することによって、該レンズ５２の光軸が予め定めた位置に規定される。
【００４２】
レンズ保持部５５は、レンズ収容孔５４ａの内周面からレンズ収容孔中心軸方向に予め定めた寸法突出した凸部である。レンズ保持部５５のレンズ収容孔側平面は、第１集光レンズ５２の一面が載置される配置面である。配置面は、レンズ収容孔５４ａの底面を構成する。レンズ保持部５５は、周方向に等間隔で設けられ、レンズ保持部５５の周方向幅寸法は、保持強度を考慮して予め定めた寸法に設定されている。
【００４３】
この構成によれば、第１集光レンズ５２は、レンズ保持部５５の配置面上に安定した状態で配置される。また、第１集光レンズ５２の一面の露出面積は、貫通孔５４の内周面全周にレンズ保持部５５を設ける構成に比べて大きくなっている。この結果、第１集光レンズ５２に入射する照明光のケラレが減少する。
【００４４】
一対の逃がし部５６Ａ、５６Ｂは、レンズ収容孔中心軸を挟んで対向した位置関係で形成されている。第１逃がし部５６Ａは、レンズ保持部５５を兼ね、第２逃がし部５６Ｂは、第１レンズホルダー５１の一平面から他平面に至る溝として形成されている。
【００４５】
図１１に示すように逃がし部５６Ａ、５６Ｂは、レンズ収容孔５４ａを介してレンズ保持部５５に第１集光レンズ５２を配置する際、或いは該レンズ収容孔５４ａ内からレンズ５２を取り出す際、該レンズ５２の外周面を把持する例えばピンセット等の把持部材５９の先端部が配置される空間部である。そして、逃がし部５６Ａ、５６Ｂは、把持部材５９の先端部の開閉操作をスムーズに行えるように操作性を考慮して形作られる。
【００４６】
ホルダー側クリップ挿通孔５１ｈは、第１レンズホルダー５１の一平面と他平面を連通する貫通孔である。一対のホルダー側クリップ挿通孔５１ｈは、レンズ収容孔中心軸を挟んで対向した位置関係で予め定めた位置に形成されている。
【００４７】
ホルダー側クリップ挿通孔５１ｈは、太径孔５１ｈａと小径孔５１ｈｂとを有する段付き孔として形成されている。  
太径孔５１ｈａは、レンズ収容孔５４ａの開口側に形成されている。太径孔５１ｈａの径寸法は、該孔５１ｈａの開口端が第２凸部８５のテーパー面８５ｆに当接するように形成されている。
【００４８】
これに対して、小径孔５１ｈｂの径寸法は、小径形状に弾性変形された第２凸部８５が通過可能に設定されている。そして、小径孔５１ｈｂの開口側周囲は、該孔５１ｈｂを通過して大径形状に復帰した第２凸部８５の第２当接面８５ａが当接配置される支持面である。
【００４９】
この構成によれば、ホルダー側クリップ挿通孔５１ｈの孔径を小径孔５１ｈｂの径で構成した場合に比べて、弾性変形する第２凸部８５を容易に通過させられる。
【００５０】
図８、図１０に示すようにレンズ抑え５３は、開口である逃がし孔５３ｍと、レンズ押圧部５３ｐと、一対の保持板側クリップ挿通孔５３ｈとを備えて構成されている。
【００５１】
保持板側クリップ挿通孔５３ｈは、レンズ抑え５３の一平面と他平面を連通する貫通孔である。一対の保持板側クリップ挿通孔５３ｈは、逃がし孔中心軸を挟んで対向した位置関係で予め定めた位置に形成されている。保持板側クリップ挿通孔５３ｈは、レンズ抑え５３の外周面から突出する突出部５３ａに形成されている。保持板側クリップ挿通孔５３ｈの径寸法は、コイルばね８２の内径寸法を考慮して設定される。具体的に、コイルばね８２が保持板側クリップ挿通孔５３ｈの周辺廻り配置されるように設定される。つまり、レンズ抑え５３の一平面側の保持板側クリップ挿通孔５３ｈの開口周囲は、コイルばね８２の他端面側が当接配置される付勢面として構成されている。
【００５２】
逃がし孔５３ｍは、第１集光レンズ５２の外径寸法より予め定めた寸法、大径に形成された貫通孔である。  
レンズ押圧部５３ｐは、逃がし孔５３ｍの内周面から逃がし孔中心軸方向に予め定めた寸法突出した凸部である。レンズ押圧部５３ｐは、第１集光レンズ５２の他面を押圧する押圧面を有している。レンズ押圧部５３ｐは、レンズ保持部５５と同様に周方向に等間隔で３つ設けられている。レンズ押圧部５３ｐは、レンズ保持部５５に対向して配設される。
【００５３】
なお、レンズ押圧部５３ｐの周方向幅寸法は、予め定めた寸法に設定されており、レンズ保持部５５の周方向幅寸法より幅狭に設定されている。
【００５４】
この構成によれば、第１集光レンズ５２の他面の露出面積は、逃がし孔５３ｍの内周面全周にレンズ押圧部５３ｐを設ける構成に比べて大きくなっている。この結果、第１集光レンズ５２の一面側から入射した照明光がレンズ押圧部５３ｐによるケラレによって出射光が減少することが防止される。
【００５５】
図１０等を参照して第１集光レンズ５２の組み付け手順を説明する。  
第１集光レンズ５２を第１レンズホルダー５１に組み付ける際、作業者は、予め、第１レンズホルダー５１、第１集光レンズ５２、レンズ抑え５３、クリップ部材８１、コイルばね８２及び把持部材５９を準備する。
【００５６】
まず、作業者は、第１レンズホルダー５１を図示しない治具の上に配置する。このとき、該ホルダー５１のレンズ収容孔５４ａの開口を上方向に向けておく。
【００５７】
次に、作業者は、第１集光レンズ５２の外周面を把持部材５９の先端部で把持する。  
そして、作業者は、第１集光レンズ５２をレンズ収容孔５４ａに内に配置するため、把持部材５９の先端部を逃がし部５６Ａ、５６Ｂ内に挿入していく。すると、第１集光レンズ５２の一面がレンズ保持部５５の配置面上に到達する。
【００５８】
ここで、作業者は、把持部材５９よるレンズ把持を解除する。この結果、第１集光レンズ５２の一面が、レンズ保持部５５の配置面上に載置された状態になる。
【００５９】
次いで、作業者は、レンズ保持部５５の配置面上に載置されている第１集光レンズ５２の他面側上にレンズ抑え５３を配置する。即ち、作業者は、逃がし孔５３ｍ内に第１集光レンズ５２の他面側が位置するように位置調整を行い、レンズ押圧部５３ｐの押圧面を該レンズ５２の他面上に配置する。また、この配置作業において、保持板側クリップ挿通孔５３ｈとホルダー側クリップ挿通孔５１ｈとを略同一軸上に配置する。
【００６０】
次に、作業者は、コイルばね８２をクリップ部材８１の軸部８３に装着する。このとき、作業者は、第２凸部８５を小径形状に変形させて、コイルばね８２の軸部８３への装着を行う。装着されたコイルばね８２は、大径形状の第２凸部８５の第２当接面８５ａに当接して軸部８３からの脱落が防止されている。
【００６１】
最後に、作業者は、コイルばね８２が軸部８３に装着されているクリップ部材８１の第２凸部８５を、保持板側クリップ挿通孔５３ｈ内、および、ホルダー側クリップ挿通孔５１ｈ内に一気に挿通させる。このとき、第２凸部８５は、テーパー面８５ｆが保持板側クリップ挿通孔５３ｈに当接して徐々に小径形状に弾性変化して該孔５３ｈを通過し、太径孔５１ｈａの開口端に当接して再び小径形状に弾性変化され、その後、小径孔５１ｈｂに侵入してさらに小径形状に弾性変形されて該孔５１ｈｂを通過する。
【００６２】
小径形状に弾性変形された第２凸部８５がホルダー側クリップ挿通孔５１ｈを通過すると、第２凸部８５は、小径形状から大径形状に復帰して、図７、図８に示すように第２当接面８５ａが第１レンズホルダー５１の支持面に配置される。
【００６３】
この配置状態において、コイルばね８２の一端側は、第１凸部８４の第１当接面８４ａに当接配置され、他端側はレンズ抑え５３の保持板側クリップ挿通孔５３ｈの開口周囲に当接配置される。
【００６４】
この結果、コイルばね８２の弾性力がレンズ抑え５３に作用して、第１集光レンズ５２が第１レンズホルダー５１とレンズ抑え５２とに挟持された状態で押圧保持される。このことにより、第１集光レンズ５２の組み付けが完了する。
【００６５】
このように、第１レンズホルダー５１にレンズ収容孔５４ａ、レンズ保持部５５及びホルダー側クリップ挿通孔５１ｈを設け、レンズ抑え５３にレンズ押圧部５３ｐ及び保持板側クリップ挿通孔５３ｈを設け、クリップ部材８１に弾性変形して外径寸法が変化する第２凸部８５を設ける。一方、クリップ部材８１の軸部８３にコイルばね８２を配置した部品固定部材８０を用意する。そして、第１集光レンズ５２を第１レンズホルダー５１とレンズ抑え５３との間に挟持した状態において、クリップ部材８１の第２凸部８５を保持板側クリップ挿通孔５３ｈ及びホルダー側クリップ挿通孔５１ｈに通過させることにより、第１集光レンズ５２を第１レンズホルダー５１に対してコイルばね８２の弾性力で押圧固定保持することができる。  
この結果、光学レンズのレンズホルダーへの取り付けを特殊な工具を用いることなく、簡単な作業で容易かつ確実に行える。
【００６６】
なお、上述した実施形態においては、弾性部材をコイルばね８２としている。しかし、弾性部材は、コイルばねに限定されるものではなく、予め定めた弾性を有するゴム製或いは樹脂製のパイプ形状部材であってもよい。
【００６７】
なお、第１レンズホルダー５１には２つの集光レンズ５２が配置される。このため、図１０の破線で示すように第１レンズホルダー５１に２つの位置決めピン５７ｍを設け、レンズ抑え５３に位置決めピン５７ｍがそれぞれ挿通する位置決め孔５７ｆを設けるようにしてもよい。２つの位置決めピン５７ｍは、ホルダー側クリップ挿通孔５１ｈの中心を結ぶ仮想線に対して非対称な位置に形成してある。  
この構成によれば、レンズ抑え５３の組違いの防止に加えて組立作業性の向上を図ることができる。
【００６８】
そして、位置決め孔５７ｆを有するレンズ抑え５３においては、符号５８に示すように切り欠きを面形成することによって、組違いの防止及び組立作業性の向上に加えて、２つの切り欠き面５８を近接させて対向配置することによってレンズ間の距離を短縮する構成を実現できる。  
上述においては、位置決めピン５７ｍ及び位置決め孔５７ｆを２つ形成する代わりに１つだけ形成して誤組立の防止だけを図るようにしてもよい。
【００６９】
また、第２集光部５０Ａの第２レンズホルダー５１Ａには第１レンズホルダー５１と同様な構成のレンズ収容孔５４ａを有する貫通孔５４、レンズ保持部５５及びホルダー側クリップ挿通孔５１ｈが形成されている。このため、第２集光レンズ５２Ａは、上述と同様に第２レンズホルダー５１Ａに固定保持される。
【００７０】
さらに、上述した実施形態においては、部品固定部材８０で円形の光学部材である集光レンズをレンズホルダーに押圧固定している。しかし、図１２に示すように光学フィルター７２をフィルターホルダー７１に部品固定部材８０によって押圧固定する、或いは、図１３に示すように光学ミラー６２をミラーホルダー６１に部品固定部材８０によって押圧固定する、或いは、図１４に示すように光学部品以外の部品であるFPGA等の電子部品９２の熱を放熱する放熱部材９３を電子部品９２に部品固定部材８０によって押圧固定するようにしてもよい。
【００７１】
図１２に示すように光学フィルター７２は、角形である。このため、フィルターホルダー７１には光学部材位置決め孔であるフィルター収容凹部７１ｎを有する角形のホルダー開口７１ｍが形成されている。フィルター収容凹部７１ｎの底面７１ｆは、フィルター保持部である。本図において、フィルター保持部は、フィルター収容凹部７１ｎの全辺に設けられている。フィルター保持部は、光学フィルター７２の一面を予め定め定めた面積露出させる。符号７１ｈは、ホルダー側クリップ挿通孔であり、第１レンズホルダー５１のホルダー側クリップ挿通孔５１ｈと同様に構成されている。
【００７２】
一方、フィルター抑え７３には、光学フィルター７２の他面を予め定めた面積露出させる角形のフィルター開口７３ｍが形成されている。フィルター抑え７３に形成されているフィルター開口７３ｍの周辺部は、光学フィルター７２の他面を押圧する押圧面である。すなわち、フィルター抑え７３の他平面は押圧部である。符号７３ｈは、保持板側クリップ挿通であり、レンズ抑え５３の保持板側クリップ挿通孔５３ｈと同様に構成されている。
【００７３】
その他の構成は上述した実施形態と同様であり、同部材には同符号を付して説明を省略する。この構成によれば、光学フィルターのフィルターホルダーへの取り付けを特殊な工具を用いることなく、簡単な作業で容易かつ確実に行える。
【００７４】
図１３に示すように光学ミラー６２は、角形である。このため、ミラーホルダー６１には光学部材位置決め穴である光学ミラー収容凹部６１ａが形成されている。光学ミラー収容凹部６１ａの底面６１ｂは、フィルター保持部である。符号６１ｈは、ホルダー側クリップ挿通孔であり、第１レンズホルダー５１のホルダー側クリップ挿通孔５１ｈと同様に構成されている。
【００７５】
一方、ミラー抑え６３には、光学ミラー６２の反射面を予め定めた面積露出させる角形のミラー開口６３ｍが形成されている。ミラー抑え６３に形成されているミラー開口６３ｍの周辺部は、光学ミラー６２のミラー面を押圧する押圧面である。すなわち、ミラー抑え６３の他平面側は押圧部である。符号６３ｈは、保持板側クリップ挿通であり、レンズ抑え５３の保持板側クリップ挿通孔５３ｈと同様に構成されている。
【００７６】
その他の構成は上述した実施形態と同様であり、同部材には同符号を付して説明を省略する。この構成によれば、光学ミラーのミラーホルダーへの取り付けを特殊な工具を用いることなく、簡単な作業で容易かつ確実に行える。
【００７７】
図１４に示す電子部品９２は、発熱部材であって例えば平板状に構成されており、回路基板９１に実装されている。回路基板９１は、部品取付体であって、予め定めた位置には基板側クリップ挿通孔９１ｈが形成されている。基板側クリップ挿通孔９１ｈは、第１レンズホルダー５１のホルダー側クリップ挿通孔５１ｈと同様に構成されている。
【００７８】
放熱部材９３は、一面側に図示しない放熱フィンを有するヒートシンクであって保持板を兼用している。放熱部材９３の他面側は、電子部品９２の面を押圧する押圧面であり、両端部には基板側クリップ挿通孔９１ｈに対向する放熱側クリップ挿通９３ｈが形成されている。放熱側クリップ挿通９３ｈは、レンズ抑えの保持板側クリップ挿通孔５３ｈと同様に構成されている。
【００７９】
その他の構成は上述した実施形態と同様であり、同部材には同符号を付して説明を省略する。  
この構成によれば、放熱部材９３の回路基板９１に実装された電子部品９２への取り付けを特殊な工具を用いることなく、簡単な作業で容易かつ確実に行える。この結果、電子部品９２の熱が放熱部材９３によって効率的に行われる。  
なお、上述の実施形態においては、回路基板９１に実装された電子部品９２に放熱部材９３を取り付ける構成を示している。しかし、符号９１を放熱部材として、符号９２を発熱部材とし、符号９３を抑え部材とする構成であってもよい。
【００８０】
ところで、上述したように照明光切換部７０においては、アクチュエータ７５への通電方向を切り換えることによって、光学フィルター７２の配置位置を第１位置と第２位置とに切り換え可能である。アクチュエータ７５によって光学フィルター７２の配置位置を切り換える場合、光学フィルター７２が第１位置に到達した際、及び、第２位置に到達した際に動作音が発生する。この動作音が大きな場合、ユーザーに不快感を与えるおそれがあり、動作音の消音、或いは低減が図られている。
【００８１】
動作音の消音あるいは低減を図る目的で、衝撃吸収手段としてショックアブソーバーを使用した場合、装置のコストが上昇する。一方、衝撃吸収手段として硬度が軟らかなゴム等の弾性部材を第１位置近傍或いは第２位置近傍に配置した場合、動作音の消音あるいは低減は可能となるが、位置決め精度に不具合が生じて、光学フィルター７２としての機能が低下する。  
さらに、ゴム等の弾性部材では、特殊観察用の照明光に含まれている紫外光によって弾性部材が劣化するおそれもある。  
このため、安価な構成で、動作音の消音或いは低減を図った光源装置が望まれている。
【００８２】
図１５に示すようにフィルターホルダー７１は、腕部７１ａを有し、腕部７１ａには回動軸取付用孔７１ｂが形成されている。符号７１ｓはスリットである。腕部７１ａの回動軸取付用孔７１ｂよりスリット開口側の腕部側面７１ｃには図示しない固定ネジが螺合するネジ孔７１ｄが形成されている。ネジ孔７１ｄは、スリット７１ｓを挟んで設けられている。  
なお、フィルターホルダー７１は、アルミニウム等の比重の小さな金属部材で形成されている。
【００８３】
フィルターホルダー７１は、腕部７１ａに設けられている回動軸取付用孔７１ｂを回動軸７５ａに挿通させ、その後、固定ネジをネジ孔７１ｄに螺合してスリット７１ｓの幅を縮めるように締め付けることによって該軸７５ａに一体に固定される。  
本実施形態において、腕部７１ａの所定位置にバランサー７４を取り付けている。バランサー７４は、フィルターホルダー７１より比重の大きな例えば真鍮製である。バランサー７４は、フィルターホルダー７１の重心位置を回動軸７５ａ近傍にするため予め定めた形状で予め定めた質量に形作られている。
【００８４】
そして、バランサー７４の予め定めた位置には、貫通孔である取付孔７４ｈが形成されている。バランサー７４は、回動軸取付用孔７１ｂから突出されている回動軸７５ａに取付孔７４ｈを挿通配置させた後、接着剤或いは図示しない固定ネジによってフィルターホルダー７１に一体固定される。
【００８５】
このように、重心位置を調整するバランサー７４をフィルターホルダー７１に一体に設け、バランサー７４を含んで構成されるフィルターホルダー７１の重心位置を、回動軸７５ａ上、またはその近傍にする。この結果、回動軸７５ａを中心に回転されるフィルターホルダー７１の回転バランスが安定し、切替動作の際、スムーズに回転移動されて動作音の低減を図かることができる。
【００８６】
また、バランサー７４を予め定めた質量に設定したことによって、回動軸７５ａによって回動されるフィルターホルダー７１の質量を上げたことにより、切替速度を低速にして衝撃エネルギーの発生を減少させて、動作音の低減を図かることができる。
【００８７】
ところで、ＣＣＵ３０の筐体を構成するフロントパネル３１、トップカバー３９等の外装部材は、金属等の部材で構成されている。そして、フロントパネル３１の予め定めた位置には操作パネル３４が設けられている。
【００８８】
操作パネル３４の内面にはパネル用回路基板（不図示）が設けられており、図１６に示すフラットケーブル１０１の一端側がパネル用回路基板には接続されるようになっている。そして、フラットケーブル１０１の他端は、筐体内に設けられた金属製のケース体１０２内に設けられた筐体内回路基板１０３に接続されている。
【００８９】
フラットケーブル１０１は、ケース体１０２に形成されている連通口１０４を通過してケース体１０２内から操作パネル３４側に延出されている。連通口１０４を通過して操作パネル３４側に延出されたフラットケーブル１０１の一端は、予め定めた弛みを設けた状態でパネル用回路基板に接続されている。なお、連通口１０４の幅寸法とフラットケーブル１０１の幅寸法は略同寸法である。
【００９０】
連通口１０４に位置するフラットケーブル１０１は、連通口１０４を塞ぐ開口閉塞部材１０５によって押圧固定されて、該ケーブル１０１が連通口１０４から脱落することが防止される。
【００９１】
本実施形態において、開口閉塞部材１０５は、連通口１０４の面積に比べて予め定めた割合大きく形成されている。そして、開口閉塞部材１０５は、ケース体１０２にビス固定、スポット溶接、接着等によって一体固定される。この固定状態において、フラットケーブル１０１の一平面は、ケース体１０２の内面に密着され、他平面は開口閉塞部材１０５の一平面に密着されている。この結果、フラットケーブル１０１が通過する連通口１０４が密閉されるとともに、フラットケーブル１０１の移動が規制されてケーブルの抜けが防止される。
【００９２】
このように、連通口１０４に位置するフラットケーブル１０１の一平面をケース体１０２に密着させるとともに、他平面を開口閉塞部材１０５に密着させて、フラットケーブル１０１が通過する連通口を密閉することによって、フラットケーブル１０１が外力によって移動されて筐体内回路基板１０３との接続状態に不具合が生じることが防止される。
【００９３】
尚、本発明は、以上述べた実施形態のみに限定されるものではなく、発明の要旨を逸脱しない範囲で種々変形実施可能である。 
【符号の説明】
【００９４】
１…内視鏡システム  １１…湾曲操作部  １２…スイッチ  １３…送気送水ボタン  
１４…吸引ボタン  １５…上下用ノブ  １６…左右用ノブ  １７…処置具挿入口
２０…内視鏡  ２１…挿入部  ２２…操作部  ２３…ユニバーサルケーブル
２４…先端部  ２５…湾曲部  ２６…可撓管部  ２７…内視鏡コネクタ  
２８…信号伝達ケーブル  ２９…電気コネクタ  ３０…カメラコントロールユニット
３１…フロントパネル  ３１ｆ…前面  ３２…内視鏡コネクタ接続口  
３３…電気コネクタ接続口  ３４…操作パネル  ３４ｄ…パネル下面  
３５…メモリー接続口  ３６…凹部  ３６ａ…本体配設部  ３６ｂ…着脱用開口
３６ｆ１…第１テーパー面  ３６ｆ２…第２テーパー面  ３７…端子接続部  
３８…メモリー  ３８ａ…本体  ３８ｂ…端子  ３８ｆ…端面  ３９…トップカバー
４０…照明部  ４１…光源部  ４２…第１発光素子  ４３…第２発光素子  
４４…光源部本体  ４５…放熱部  ４６…伝導棒  ４７…放熱フィン
５０、５０Ａ…集光部  ５０Ｂ…光源用コネクタ保持部  ５０Ｂａ…コネクタ保持部本体  ５０Ｂｂ…ライトガイドコネクタ  ５１、５１Ａ…レンズホルダー  
５１ｈ…ホルダー側クリップ挿通孔  ５１ｈａ…太径孔  ５１ｈｂ…小径孔  
５２…第１集光レンズ  ５２Ａ…第２集光レンズ  ５３…レンズ抑え  
５３ｈ…保持板側クリップ挿通孔  ５３ｍ…逃がし孔  ５３ｐ…レンズ押圧部  
５４…貫通孔  ５４ａ…レンズ収容孔  ５５…レンズ保持部  ５６Ａ、５６Ｂ…逃がし部
５７ｆ…位置決め孔  ５７ｍ…位置決めピン  ５８…切り欠き面  ５９…把持部材  
６０…反射部  ６１…ミラーホルダー  ６１ａ…光学ミラー収容凹部  ６１ｂ…底面  
６１ｈ…ホルダー側クリップ挿通孔  ６２…光学ミラー  ６３…ミラー抑え  
６３ｈ…保持板側クリップ挿通孔  ６３ｍ…ミラー開口  ７０…照明光切換部  
７１…フィルターホルダー  ７１ａ…腕部  ７１ｂ…回動軸取付用孔  ７１ｃ…腕部側面  ７１ｄ…ネジ孔  ７１ｆ…底面    ７１ｈ…ホルダー側クリップ挿通孔  
７１ｍ…ホルダー開口  ７１ｎ…フィルター収容凹部  ７１ｓ…スリット  
７２…光学フィルター  ７３…フィルター抑え  ７３ｈ…保持板側クリップ挿通  
７３ｍ…フィルター開口  ７４…バランサー  ７４ｈ…取付孔  ７５…アクチュエータ
７５ａ…回動軸  ８０…部品固定部材  ８１…クリップ部材  ８２…コイルばね  
８３…軸部  ８４…第１凸部  ８４ａ…第１当接面  ８５…第２凸部  
８５ａ…第２当接面  ８５ｆ…テーパー面  ８６…スリット  ９１…回路基板  
９１ｈ…基板側クリップ挿通孔  ９２…電子部品  ９３…放熱部材  
９３ｈ…放熱側クリップ挿通  １０１…フラットケーブル  １０２…ケース体  
１０３…筐体内回路基板  １０４…連通口  １０５…開口閉塞部材  
【図１】
0005750615.tif 000002
【図２】
0005750615.tif 000003
【図３Ａ】
0005750615.tif 000004
【図３Ｂ】
0005750615.tif 000005
【図４】
0005750615.tif 000006
【図５】
0005750615.tif 000007
【図６】
0005750615.tif 000008
【図７】
0005750615.tif 000009
【図８】
0005750615.tif 000010
【図９】
0005750615.tif 000011
【図１０】
0005750615.tif 000012
【図１１】
0005750615.tif 000013
【図１２】
0005750615.tif 000014
【図１３】
0005750615.tif 000015
【図１４】
0005750615.tif 000016
【図１５】
0005750615.tif 000017
【図１６】
0005750615.tif 000018